(57)【要約】【課題】ラックを、使用状態と折り畳み状態とに容易にロックし得るようにする折り畳み式ラックを提供すること。【解決手段】前後左右に並ぶ４本の支柱２の対向面により四隅部が枢着された最上段の棚板４の前端部下面と、前側の左右の支柱２の内側面とに、各段の棚板４が水平をなす使用状態にロックし得るとともに、該ロック状態を解除することにより折り畳み可能とし、かつ折り畳み状態にロックし得る係止手段７を設ける。【選択図】  図６
2005040185.tif 000002
【特許請求の範囲】
【請求項１】
前後左右に並ぶ４本の支柱における前側の左右の支柱と後側の左右の支柱との対向面間に、上下複数段の棚板の四隅部を、左右方向を向く枢軸により回動可能に枢着することにより、前記前後の支柱同士が互いに接近しながら平行移動して折り畳み可能とした折り畳み式ラックにおいて、
前記いずれかの棚板の左右両側部下面と左右の支柱とに、各段の棚板が水平をなす使用状態にロックし得るとともに、該ロック状態を解除することにより、折り畳み可能とし、かつ折り畳み状態にロックし得る係止手段を設けたことを特徴とする折り畳み式ラック。
【請求項２】
係止手段が、棚板の下面と左右の支柱の内側面とのいずれか一方に設けられ、両側端部が左右一対の支持部材により前後方向に移動可能に支持された係止ロッドと、他方に設けられ、前記係止ロッドの両側端部を摺動可能に案内し、使用状態にロックし得る前後方向を向く係止溝と折り畳み状態にロックし得る下向きの係止溝、及び両係止溝と連続するガイド溝を有する左右一対の停止プレートとからなるものである請求項１に記載の折り畳み式ラック。
【請求項３】
ガイド溝を、棚板の枢軸を中心とする円弧状とした請求項２に記載の折り畳み式ラック。
【請求項４】
前後の支柱の対向面に、一端がいずれか一方の支柱に左右方向を向く支軸により回動自在に枢着され、かつ他端が他方の支柱の係止ピンに係脱可能に係止し得るブレースを設けた請求項１乃至３のいずれかに記載の折り畳み式ラック。
【請求項５】
ブレースの他端に、係止ピンに上下いずれか一方より嵌合し得るとともに、奥部に長手方向を向く係止部を有する側面視略Ｌ字状の係合溝を設け、かつブレースの他端の枢着部を、上下いずれか一方に移動可能に固定し得るようにした請求項４に記載の折り畳み式ラック。
【請求項６】
各支柱を、前後の対向面が開口された平面視略内向きコ字状断面とした請求項１乃至５のいずれかに記載の折り畳み式ラック。
【請求項７】
各支柱の下端にキャスタを設けるとともに、前側の左右の支柱の対向面間に少なくとも１個の把手を設けた請求項１乃至６のいずれかに記載の折り畳み式ラック。
【発明の詳細な説明】
【０００１】
【発明の属する技術の分野】
本発明は、不使用時には偏平状に折り畳んで保管し得るようにした折り畳み式ラックに関する。
【０００２】
【従来の技術】
この種の折り畳み式ラックとしては、使用状態に展開した時に、前後の支柱同士をブレースにより連結した固定するとともに、棚板の前後両側辺と、これに隣接する支柱の前後の側辺部との間に挟入したブラケットを介して、棚板と支柱とをボルトとナットで固定したものがある（特許文献１参照。）。
【０００３】
【特許文献１】
特公平５−４６８０２号公報（第２頁、第１図）
【０００４】
【発明が解決しようとする課題】
上記特許文献１に記載されている従来の折り畳み式ラックにおいては、前後の支柱同士が接近するように偏平状に折り畳んだ際に、その状態に保持するロック手段等を有していないため、ラックを折り畳んで壁面に立て掛けておいたりした際に、ラックが展開してしまう恐れがあり、危険である。
【０００５】
また、ラックを使用状態に展開した時、前後の支柱を別体のブレースにより、連結し、かつブレースをネジにより支柱に固定しているため、ブレースの取付けや取外し作業が面倒であり、かつラックを使用状態としたり、折り畳み状態としたりするのに手間がかかる。
【０００６】
さらに、ラックを折り畳んだ際、取り外したブレースを紛失しないように保管したり、ラックを出荷したりする際にブレースを別梱包としたりする必要があるため、それらの作業が煩雑である。
【０００７】
本発明は、上記問題点を解決するためになされたもので、簡単な手動操作により、使用状態と折り畳み状態とにロックすることにより、不用意に展開するのを防止し得るようにするとともに、ブレースをラックと一体に組付けることにより、その着脱作業を不要とし、作業能率を向上することができるようにした折り畳み式ラックを提供することを目的としている。
【０００８】
【課題を解決するための手段】
前記した問題を解決するために、本発明の折り畳み式ラックは、前後左右に並ぶ４本の支柱における前側の左右の支柱と後側の左右の支柱との対向面間に、上下複数段の棚板の四隅部を、左右方向を向く枢軸により回動可能に枢着することにより、前記前後の支柱同士が互いに接近しながら平行移動して折り畳み可能とした折り畳み式ラックにおいて、
前記いずれかの棚板の左右両側部下面と左右の支柱とに、各段の棚板が水平をなす使用状態にロックし得るとともに、該ロック状態を解除することにより、折り畳み可能とし、かつ折り畳み状態にロックし得る係止手段を設けたことを特徴とする。
この特徴によれば、係止手段により、ラックを簡単に使用状態と折り畳み状態とにロックして保持することができる。
【０００９】
本発明の折り畳み式ラックは、係止手段が、棚板の下面と左右の支柱の内側面とのいずれか一方に設けられ、両側端部が左右一対の支持部材により前後方向に移動可能に支持された係止ロッドと、他方に設けられ、前記係止ロッドの両側端部を摺動可能に案内し、使用状態にロックし得る前後方向を向く係止溝と折り畳み状態にロックし得る下向きの係止溝、及び両係止溝と連続するガイド溝を有する左右一対の停止プレートとからなるものであることが好ましい。
このようにすれば、係止ロッドを手で操作するだけで、ラックを簡単に使用状態と折り畳み状態とにロックすることができる。
【００１０】
本発明の折り畳み式ラックは、ガイド溝を、棚板の枢軸を中心とする円弧状としたことが好ましい。
このようにすれば、係止ロッドをガイド溝に沿って円滑に摺動させることができる。
【００１１】
本発明の折り畳み式ラックは、前後の支柱の対向面に、一端がいずれか一方の支柱に左右方向を向く支軸により回動自在に枢着され、かつ他端が他方の支柱の係止ピンに係脱可能に係止し得るブレースを設けたことが好ましい。
このようにすれば、使用状態でのラックの剛性が大となるとともに、使用状態に確実に保持することができる。
【００１２】
本発明の折り畳み式ラックは、ブレースの他端に、係止ピンに上下いずれか一方より嵌合し得るとともに、奥部に長手方向を向く係止部を有する側面視略Ｌ字状の係合溝を設け、かつブレースの他端の枢着部を、上下いずれか一方に移動可能に固定し得るようにしたことが好ましい。
このようにすれば、ブレースの他端を係止ピンに嵌合した後、枢着部を上下いずれか一方に移動すると、係止ピンが係止溝の奥部の係止部内に位置して外れ止めがなされる。
【００１３】
本発明の折り畳み式ラックは、各支柱を、前後の対向面が開口された平面視略内向きコ字状断面としたことが好ましい。
このようにすれば、ブレースの枢着部や係止部、及び一端を係止ピンより外したブレース自身が、支柱の内面より突出していても、折り畳み時において前後の支柱の対向面の開口より内部に入り込んで収容されるので、前後の支柱の対向面同士が当接するまで折り畳むことができる。
【００１４】
本発明の折り畳み式ラックは、各支柱の下端にキャスタを設けるとともに、前側の左右の支柱の対向面間に少なくとも１個の把手を設けたことが好ましい。
このようにすれば、使用状態としたラックを、把手を持って容易に移動することができる。
【００１５】
【発明の実施の形態】
以下、本発明の実施形態を図面に基づいて説明する。
【００１６】
図１は、本発明の折り畳み式ラック１の正面図、図２は、同じく側面図、図３は、同じく折り畳んだ時の側面図、図４は、同じく拡大平面図、図５は、図１のＶ−Ｖ線の拡大横断平面図である。
【００１７】
ラック１は、前後方向（以下、図２の右方を前として説明する）の対向面が開口する前後左右に並ぶ平面視内向きコ字状の４本の支柱２と、前側と後側の左右の支柱２の対向面に、左右両側面の前後両端部、すなわち四隅部が、左右方向を向く枢軸（ボルトとダブルナット）３により回動自在に枢着された上下複数段（４段）の棚板４とを備えている。
【００１８】
各支柱２の下端には、キャスタ５が取付けられている。前側の左右の支柱２の対向面間には、把手を兼ねる複数（３本）の横杆６が、等間隔おきに取付けられている。天板を兼ねる最上段の棚板４の前端部下面と、前側の左右の支柱２の上端部内側面には、ラック１を使用状態と折り畳み状態とにロック可能な係止手段７が設けられている。
【００１９】
係止手段７は、図４、図６及び図７に示すように、最上段の棚板の下面の前端部に固着されたブラケット８における左右両端の下向支持片８ａ，８ａに形成した前後方向を向く長孔９に、左右両端部を摺動可能に挿通して支持された係止ロッド１０と、前側の左右の支柱２の上端部の内側面に、上記下向支持片８ａの外側面と対向するように後向きに固着された一対の停止プレート１１，１１とからなり、両停止プレート１１には、上記長孔９と対向する前後方向を向く係止溝１２と、その後端から斜め前下方に向かって延出し、かつ枢軸３を中心とする円弧状のガイド溝１３と、その前端と連続する下向きの係止溝１４とが形成されている。
【００２０】
最上段の棚板４における停止プレート１１と対向する左右両側部には、ラック１を折り畳んだ際に停止プレート１１の後端部が突出可能なスレット状の逃がし孔１５が穿設されている。前後の支柱２の対向面の下部と上部には、それぞれ前上方と後上方に傾斜するブレース１６が、次のようにして取付けられている。
【００２１】
図５に示すように（上部は同一構造につき図示略）、４本の支柱２の上下部内には、後面と前面中央に２枚の支持片１７，１７が突設された外向きコ字状のブラケット１８が嵌合され、後部のブラケット１８はネジ１９により固定されている。
【００２２】
前部のブラケット１８は、図８にも示すように、支柱２の外側面に形成した上下方向を向く長孔２０に挿通したつまみ付き固定ネジ２１が、ブラケット１８を貫通して、その内面に固着されたナット２２に螺合することにより、上下方向に移動可能に固定されている。
【００２３】
なお、各ブラケット１８の支持片１７の突出寸法は、ラック１を折り畳んだ際に、対向する前後の支柱２の内部空間に収容可能な長さとしてある。下部のブレース１６の上端は、前部のブラケット１８の支持片１７，１７間に挟入されて、左右方向を向くピン２３により上下に回動自在に枢着されている。
【００２４】
また、下部ブレース１６の下端は、図８に示すように、その下端の上面に形成された側面視逆Ｌ字状の係止溝２４を、後部支柱２のブラケット１８の支持片１７，１７間において、それに取付けた係止ピン２５に下方より嵌合した後、前部支柱２のブラケット１８を、固定ネジ２１を緩めて上方に移動させることにより、係止ピン２５が係止溝２４の奥部の長手方向を向く係止部内に位置して、外れ止めがなされ、後部支柱２のブラケット１８に固定される。
【００２５】
ブレース１６の後端を係止ピン２５より外す際は、再度固定ネジ２１を緩め、図８の矢印のように、前部側のブラケット１８を下方に移動させればよい。
【００２６】
なお、上部側のブレース１６は、下部側のそれと上下反対向きにして取付けられ、図６に示すように、ブレース１６の後端の下面側に位置する係止溝２４が、後部の支柱２の上端部に取付けたブラケット１８の支持片１７の係止ピン２５に、上方から係合させ得るようになっている。
【００２７】
係止ピン２５よりの外れ止めをする際は、前部側のブラケット１８を上方に、また係止ピン２５より外す際は、同じく下方にそれぞれ移動させればよい。
【００２８】
上記実施形態のラック１において使用状態とするには、４本の支柱２を等間隔に起立させて、それらにより枢支されている各段の棚板４を水平に展開した後、係止手段７の係止ロッド１０を前方に引き、左右の停止プレート１１における前後方向を向く係止溝１２の前端に位置させる。この状態で、最上段の棚板４の回動が阻止されることにより、ラック１が使用状態にロックされる。
【００２９】
次いで、ラック１の剛性を高めるために、前後の支柱２の上部と下部同士を、上述した要領で、上下左右の４本のブレース１６により連結する。これにより、ラック１は確実に使用状態に保持され、前側の支柱２の対向面に取付けられた横杆６のいずれかを把手として、容易に移動することもできる。
【００３０】
ラック１を折り畳む際には、上述したように、まず固定ネジ２１を緩めて前部側のブラケット１８を上下動させ、各ブレース１６の後端を後部側のブラケット１８の係止ピン２５より外した後、前側の支柱２側に向かって回動させ、先端部を支柱２の後面の開口より内部に挿入する。
【００３１】
次いで、図７に示すように、係止手段７の係止ロッド１０を後方に押動し、係止溝１２の後端に位置させる。すると、係止ロッド１０は、ガイド溝１３に沿って移動可能となることにより、最上段の棚板４のロックが解除され、後側の支柱２を前下方に向かって、その前面が前側の支柱２の後面と当接するまで回動することができる。この際、停止プレート１１の後端部は、最上段の棚板４に穿設した逃がし孔１５より後方に突出するので、折り畳みに支障を来たすことはない。
【００３２】
前後の支柱２の対向面同士が当接するまで折り畳んだ後、係止ロッド１０を停止プレート１１の下向きの係止溝１４に落とし込むことにより、最上段の棚板４の回動が阻止され、ラック１全体が折り畳み状態にロックされる。
【００３３】
なお、折り畳んだラック１を展開して使用状態とするには、係止ロッド１０を押し上げて係止溝１４より離脱させた後、上記と逆の操作を行えばよい。
【００３４】
以上説明したように、上記実施形態においては、係止手段７の係止ロッド１０を操作するだけで、ラック１を使用状態と折り畳み状態とにロックして保持することができるので、従来のような別体のブレースをその都度取付けたり、取外したりする必要がなく、展開及び折り畳み時の作業能率が向上する。
【００３５】
また、ラックは係止手段７により折り畳み状態に保持されるので、不使用時に壁面等に立て掛けておいても、不用意に展開される恐れはなく、安全である。
【００３６】
さらに、各ブレース１６は、ラック１の折り畳み時に回動させ、一部が支柱１の内部に収容されるので、取付けたままでラック１を折り畳むことができ、ブレース１６を取外して保管したり、ラック１を出荷する際に別梱包としたりする必要がない。
【００３７】
４本の支柱は、前後の対向面が開口しており、折り畳み時において、その開口部より、ブラケット１８の支持片１７やブレース１６の一部が支柱２内に収容されるので、支柱２の対向面同士を密着させて折り畳むことができ、前後の折り畳み寸法を小さくすることができる。
【００３８】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもなく、例えば上記実施形態においては、前後の支柱２間に上下４本のブレース１６を設けているが、載置物品が軽量である場合には、上下いずれか一方のブレース１６を省略したり、全てのブレース１６を廃止したりしてもよい。
【００３９】
また、上記実施形態では、係止手段７を最上段の棚板４と、それに近接する前側の支柱２とに設けれいるが、下段のいずれかの棚板４と前側の支柱２とに設けたり、又はいずれかの棚板４の後端部下面と後側の左右の支柱２とに設け、後方から操作するようにしてもよい。
【００４０】
また、上記実施形態とは反対に、停止プレート１１を棚板２側に、長孔９を有する下向片８ａを支柱２側に設けることもできる。
【００４１】
また、上記実施形態では、ブラケット１８を支柱２内に収容し、ブラケット１８より突出する支持片１７に、ブレース１６の一端を枢着したり、他端を係止したりしているが、このような支持片１７を突出しないで、支柱２内に、それと同形の内向きコ字状のブラケットを収容し、その左右の対向面に、ピン２３や係止ピン２５を取付けるようにしてもよい。
【００４２】
【発明の効果】
本発明は次の効果を奏する。
【００４３】
請求項１の発明によれば、係止手段により、ラックを使用状態と折り畳み状態とにロックして保持し得るので、従来のような別体のブレースを、その都度取付けたり取外したりして、ラックを使用状態に保持したり、折り畳み可能としたりする必要はなく、作業能率が大幅に向上する。
また、ラックは、係止手段により折り畳み状態にロックされるので、不使用時に壁面等に立て掛けておいても、不用意に展開される恐れはなく、安全である。
【００４４】
請求項２の発明によれば、係止ロッドを手で操作するだけで、ラックを簡単に使用状態と折り畳み状態とにロックすることができる。
【００４５】
請求項３の発明によれば、係止ロッドがガイド溝に沿って円滑に摺動することができる。
【００４６】
請求項４の発明によれば、使用状態でのラックの剛性が大となり、かつ使用状態に確実に保持されるので、重量物でも支障なく棚板に載置することができる。
【００４７】
請求項５の発明によれば、ブレースの他端を係止ピンに嵌合した後、一端の枢着部を上下いずれか一方に移動させて固定すると、係止ピンが係止溝の奥部の係止部内に位置し、ブレースの他端の外れ止めがなされる。
【００４８】
請求項６の発明によれば、ブレースの枢着部や係止部、一端を係止ピンより取外したブレース自身が、支柱の内面より突出していても、折り畳み時において前後の支柱の対向面の開口から内部に収容されるので、前後の支柱の対向面同士が当接するまで折り畳むことができ、折り畳み時の前後寸法を小さくすることができる。
【００４９】
請求項７の発明によれば、使用状態としたラックを、把手を持って容易に移動することができるとともに、左右の支柱の左右方向の倒れ強度が増大する。
【図面の簡単な説明】
【図１】本発明の折り畳み式ラックの正面図である。
【図２】同じく、折り畳み式ラックの側面図である。
【図３】同じく、折り畳んだ状態の側面図である。
【図４】同じく、一部切欠拡大平面図である。
【図５】図１のＶ−Ｖ線に沿う拡大横断平面図である。
【図６】ラック上部の拡大側面図である。
【図７】同じく、折り畳み時のラック上部の拡大側面図である。
【図８】ラック下部の拡大側面図である。
【符号の説明】
１          ラック
２          支柱
３          枢軸
４          棚板
５          キャスター
６          横杆（把手）
７          係止手段
８          ブラケット
８ａ        下向支持片
９          長孔
１０        係止ロッド
１１        停止プレート
１２        係止溝
１３        ガイド溝
１４        係止溝
１５        逃がし孔
１６        ブレース
１７        支持片
１８        ブラケット
１９        ネジ
２０        長孔
２１        固定ネジ
２２        ナット
２３        ピン
２４        係止溝
２５        係止ピン
【図１】
2005040185.tif 000003
【図２】
2005040185.tif 000004
【図３】
2005040185.tif 000005
【図４】
2005040185.tif 000006
【図５】
2005040185.tif 000007
【図６】
2005040185.tif 000008
【図７】
2005040185.tif 000009
【図８】
2005040185.tif 000010